(57)【特許請求の範囲】
【請求項１】
ラーメン柱と、このラーメン柱のフランジ部に沿った方向に出入り調整されて、このフランジ部に一側端面が接した状態で位置決め固定された断熱内壁パネルとを、固定金具を介して固定する構造であって、
固定金具は、略コ字状に折り曲げられて対向する当接片と挟持片との間でラーメン柱のフランジ部を弾性挟持する弾性固定部と、この弾性固定部の当接片と面一で、かつ、当接片の基端部から当接片とは反対の方向に延設され、断熱内壁パネルの一側端面に釘打ち固定される釘固定部とを具備し、
断熱内壁パネルは、このラーメン柱に弾性挾持された固定金具の釘固定部が、断熱内壁パネルの一側端面と対向する範囲内で、ラーメン柱よりも室内側に突出した位置に出入り調整され、
ラーメン柱のフランジ部が、固定金具の弾性固定部を構成する当接片と挟持片との間に弾性挟持された状態で、この固定金具の釘固定部が、断熱内壁パネルの一側端面に釘固定されてなることを特徴とする断熱内壁パネルのラーメン柱固定構造。
【請求項２】
ラーメン柱と、このラーメン柱のフランジ部に沿った方向に出入り調整されて、このフランジ部から一側端面が間隔を存した状態で位置決め固定された断熱内壁パネルとを、固定調整金具を介して固定する構造であって、
固定調整金具は、ラーメン柱のフランジ部の厚みよりも広い間隔で略コ字状に折り曲げられて対向する挟持片と支持片との間にフランジ部を介在させるようになされた金具本体と、この金具本体の支持片に螺合して挟持片に向かって進退する固定片と、この金具本体の挟持片と面一で、かつ、この挟持片の基端部から挟持片とは反対の方向に延設され、断熱内壁パネルの一側端面にビス固定されるビス固定部と、このビス固定部から挿通されるビスとを具備し、
断熱内壁パネルは、このラーメン柱に挾持固定された固定金具のビス固定部が、断熱内壁パネルの一側端面と対向する範囲内で、ラーメン柱よりも室内側に突出した位置に出入り調整され、
ラーメン柱のフランジ部が、固定調整金具の固定片の螺合によって、この固定片と挟持片との間に挟持固定された状態で、この固定調整金具のビス固定部から、断熱内壁パネルの一側端面にビスが螺合固定されてなることを特徴とする断熱内壁パネルのラーメン柱固定構造。
【発明の詳細な説明】
【０００１】
【発明の属する技術分野】
本発明は、断熱内壁パネルを、固定金具または固定調整金具を介してラーメン柱の柱横に固定する固定構造に関するものである。
【０００２】
【従来の技術】
一般に、鉄骨構造の建物において、外壁がカーテンウォール構造をとっているような場合、内壁の施工に当たって、自立した下地材および断熱材の施工が必要となる。
【０００３】
そこで、従来より、図１０に示すように、矩形に枠組みした木製下地枠ｂの枠内に断熱材ｃを設けるとともに、この木製下地枠ｂの内面側に防湿シートｄを貼設して断熱内壁パネルａを構成し、この断熱内壁パネルａを、梁下に横並びに施工して固定金具ｅによってラーメン柱ｆのフランジ部ｇに固定することが行われている。
【０００４】
この場合、断熱内壁パネルａは、木製下地枠ｂ同士を横並びに固定するので、この木製下地枠ｂの幅の倍数の長さで施工されることとなり、ぴったりとラーメン柱ｆのフランジ部ｇの間に収まらないことがある。
【０００５】
そのため、固定金具ｅは、図１１に示すように、ラーメン柱ｆのフランジ部ｇを挟持するようにコ字状に折り曲げられた挟持部ｈと、この挟持部ｈの一端側から延設され、木製下地枠ｂの背面ｉに当接される当接部ｊとを具備したものを使用していた。そして、木製下地枠ｂの背面ｉに当接部ｊを固定することで、ラーメン柱ｆのフランジ部ｇと木製下地枠ｂとの間に隙間が出来ても出来なくても固定できるようになされていた。
【０００６】
【発明が解決しようとする課題】
しかし、上記従来の施工構造の場合、断熱内壁パネルａの背面ｉを固定金具ｅの当接部ｊに当接させて固定するようになされているので、断熱内壁パネルａは、図１１に示すように、矢符Ａ方向および矢符Ｂ方向に微妙な出入り調整をすることができず、固定金具ｅによって必然と固定位置が決まってしまうといった不都合を生じていた。このうち、矢符Ｂ方向へは、固定金具ｅの挟持部ｈの挟持具合を浅くすることで対応することができるが、矢符Ａ方向へは、木製下地枠ｂを一部削らなければならず、作業が煩わしくなってしまう。
【０００７】
また、固定金具ｅの当接部ｊを木製下地枠ｂの背面ｉに固定するため、断熱内壁パネルａの施工後では、この固定金具ｅを固定することができない。そのため、あらかじめ断熱内壁パネルａを施工する前に固定金具ｅを固定しておかなければならないので、ラーメン柱ｆのフランジ部ｇと木製下地枠ｂとの間に隙間が出来るような場合には、この隙間を見越して固定金具ｅを固定しておかなければならないといった不都合を生じることとなる。
【０００８】
本発明は、係る実情に鑑みてなされたものであって、断熱内壁パネルの出入り調整に対応することができる断熱内壁パネルのラーメン柱固定構造を提供することを目的としている。
【０００９】
【課題を解決するための手段】
上記課題を解決するための本発明の断熱内壁パネルのラーメン柱固定構造は、ラーメン柱と、このラーメン柱のフランジ部に沿った方向に出入り調整されて、このフランジ部に一側端面が接した状態で位置決め固定された断熱内壁パネルとを、固定金具を介して固定する構造であって、固定金具は、略コ字状に折り曲げられて対向する当接片と挟持片との間でラーメン柱のフランジ部を弾性挟持する弾性固定部と、この弾性固定部の当接片と面一で、かつ、当接片の基端部から当接片とは反対の方向に延設され、断熱内壁パネルの一側端面に釘打ち固定される釘固定部とを具備し、断熱内壁パネルは、このラーメン柱に弾性挾持された固定金具の釘固定部が、断熱内壁パネルの一側端面と対向する範囲内で、ラーメン柱よりも室内側に突出した位置に出入り調整され、ラーメン柱のフランジ部が、固定金具の弾性固定部を構成する当接片と挟持片との間に弾性挟持された状態で、この固定金具の釘固定部が、断熱内壁パネルの一側端面に釘固定されてなるものである。
【００１０】
また、上記課題を解決するための本発明の断熱内壁パネルのラーメン柱固定構造は、ラーメン柱と、このラーメン柱のフランジ部に沿った方向に出入り調整されて、このフランジ部から一側端面が間隔を存した状態で位置決め固定された断熱内壁パネルとを、固定調整金具を介して固定する構造であって、固定調整金具は、ラーメン柱のフランジ部の厚みよりも広い間隔で略コ字状に折り曲げられて対向する挟持片と支持片との間にフランジ部を介在させるようになされた金具本体と、この金具本体の支持片に螺合して挟持片に向かって進退する固定片と、この金具本体の挟持片と面一で、かつ、この挟持片の基端部から挟持片とは反対の方向に延設され、断熱内壁パネルの一側端面にビス固定されるビス固定部と、このビス固定部から挿通されるビスとを具備し、断熱内壁パネルは、このラーメン柱に挾持固定された固定金具のビス固定部が、断熱内壁パネルの一側端面と対向する範囲内で、ラーメン柱よりも室内側に突出した位置に出入り調整され、ラーメン柱のフランジ部が、固定調整金具の固定片の螺合によって、この固定片と挟持片との間に挟持固定された状態で、この固定調整金具のビス固定部から、断熱内壁パネルの一側端面にビスが螺合固定されてなるものである。
【００１１】
【発明の実施の形態】
以下、本発明の実施の形態を図面を参照して説明する。
【００１２】
図１ないし図３は断熱内壁パネル１のラーメン柱２への固定構造を示し、図４および図５は同施工構造に使用される断熱内壁パネル１を示し、図６は同施工に使用される固定金具３を示し、図７は同施工に使用される固定調整金具４を示している。
【００１３】
すなわち、この固定構造は、ラーメン柱２のフランジ部２１に接した状態に位置決め固定された断熱内壁パネル１を、固定金具３および固定調整金具４によってラーメン柱２のフランジ部２１に固定するようになされている。
【００１４】
断熱内壁パネル１は、図４および図５に示すように、木製下地枠１１の外面側に防湿シート１２が貼設されるとともに、この防湿シート１２の外面側に断熱材１３が貼設されて構成されている。
【００１５】
木製下地枠１１は、縦桟材１４と横桟材１５とを矩形に枠組みして構成されている。また、縦桟材１４間には、横桟材１５と平行する複数の中桟材１６が設けられて木製下地枠１１全体が補強されている。この木製下地枠１１は、中桟材１６に配線孔１０が設けられており、この配線孔１０を利用して木製下地枠１１内に自由に配線（図示省略）を取りまわせるようになされている。また、木製下地枠１１の内面側であって、上辺の横桟材１５に隣接した位置には、この木製下地枠１１の内面側と面一となるように、上辺の横桟材１５と直交して天井下地取付桟材１７が設けられている。さらに、木製下地枠１１の端面の内、一方の縦桟材１４の外面寄りの位置に、この縦桟材２１に沿って気密材１８が設けられている。
【００１６】
防湿シート１２は、木製下地枠１１の外面側全体に貼設される。この防湿シート１２としては、アルミニウム蒸着したポリエチレン製フィルムを使用することができる。
【００１７】
断熱材１３は、上記防湿シート１２の外面側であって、木製下地枠１１の枠外に貼設される。この断熱材１３は、木製下地枠１１と気密材１８とを合わせた面積に等しくなるように形成され、木製下地枠１１の外面側に当接した状態で、この木製下地枠１１に、鋲１９によって固定される。この断熱材１３としては、例えば、フィルム包装された高密度グラスウール製の断熱材１３を使用することができる。なお、この断熱材１３は、木製下地枠１１に対して一体となった一つの断熱材１３を貼設するものであっても良いし、複数の断熱材１３を貼設するものであっても良い。
【００１８】
固定金具３は、図２および図６に示すように、弾性固定部３１と釘固定部３２とを具備し、金属製の板状体を折り曲げて一体に形成されている。
【００１９】
このうち、弾性固定部３１は、ラーメン柱２のフランジ部２１の厚みに等しい間隔の略コ字状となるように折り曲げられている。そして、このコ字状となった状態で対向する当接片３３と挟持片３４の間で、ラーメン柱２のフランジ部２１を弾性挟持するようになされている。また、当接片３３は、木製下地枠１１の一方の縦桟材１４の側端面に当接可能な平滑な板状となされている。また、挟持片３４は、基端側から先端に向かうに従って、対向する当接片３３寄りに間隔が一旦狭くなった後、広がるように形成されている。そして、この間隔が狭くなった部分には、フランジ部２１に食い込むように爪部３５が突設されている。したがって、挟持片３４の先端の間隔が広がった部分を押し広げるようにしてラーメン柱２のフランジ部２１を嵌め込むと、間隔の狭くなった部分でこのフランジ部２１が挟持され、かつ、爪部３５が食い込んで戻り止めとなる。
【００２０】
釘固定部３２は、当接片３３と面一で、かつ、この当接片３３とは反対の方向に向くように、この当接片３３の基端部の両側から延設されている。この釘固定部３２には、小孔３６が設けられている。
【００２１】
固定調整金具４は、図３および図７に示すように、金具本体４１、固定ボルト４２、ビス固定部４３、ビス４４を具備して構成されている。
【００２２】
このうち、金具本体４１は、上記固定金具３よりも厚みのある金属製の鋼板を折り曲げて形成されている。この金具本体４１は、ラーメン柱２のフランジ部２１の厚みよりも若干幅の広い間隔の略コ字状となるように折り曲げられている。そして、このコ字状となった状態で対向する挟持片４５と支持片４６の間に、ラーメン柱２のフランジ部２１を介在させるようになされている。
【００２３】
固定ボルト４２は、金具本体４１の支持片４６の外側から螺合し、その先端部が挟持片４５側に進退できるようになされている。そして、この固定ボルト４２を支持片４６側から螺合することによって、挟持片４５と固定ボルト４２との間でラーメン柱２のフランジ部２１を挟持固定するようになされている。
【００２４】
ビス固定部４３は、金具本体４１の挟持片４５と面一で、かつ、この挟持片４５とは反対の方向に向くように、この挟持片４５の基端部から延設されている。このビス固定部４３には、ビス４４を挿通するための小孔４７が設けられている。
【００２５】
ビス４４は、断熱内壁パネル１とラーメン柱２との間隙よりも長く形成されたものを使用する。
【００２６】
次に、この固定金具３および固定調整金具４によって断熱内壁パネル１をラーメン柱２のフランジ部２１に固定する手順について説明する。
【００２７】
まず、図８に示すように、梁５の直下の床下地材６の上に、断熱内壁パネル１を横並びに立設させる。そして、各断熱内壁パネル１の木製下地枠１１の枠内から、下辺の横桟材１５に釘７を打ちつけて、この横桟材１５を床下地材６に固定する。
【００２８】
また、図１に示すように、隣接する断熱内壁パネル１の縦桟材１４同士の間隙に、木板片からなるスペーサ８を介在させて縦桟材１４同士を釘７で固定する。この際、縦桟材１４の間隙には、気密材１８が介在するので、スペーサ８としては、気密材１８による気密性を保つために、この気密材１８よりも幅の狭いものを使用する。これにより気密材１８は、スペーサ８の幅に圧縮される。したがって、横並びに立設させた各断熱内壁パネル１は、気密材１８の部分でそれぞれスペーサ８の幅に圧縮されることとなり、これによって幅方向の寸法が調整されてラーメン柱２のフランジ部２１に接した状態で隙間無く収まることとなる。
【００２９】
さらに、断熱内壁パネル１は、上辺の横桟材１５に梁下固定金具５０を取り付け、この梁下固定金具５０を介して梁５に固定する。この梁下固定金具５０は、図９に示すように、木製下地枠１１の上辺の横桟材１５に嵌め込む溝型に形成された金具本体５１と、梁５のフランジ部５ａに噛み込む固定部材５２とがボルト５３によって連結されている。そして、ボルト５３の回動具合によって、梁５に固定された固定部材５２に対して金具本体５１を矢符Ａ、Ｂ方向に動かすことができ、これによって断熱内壁パネル１は、出入り調整が行われて位置決め固定される。
【００３０】
このように断熱内壁パネル１を位置決め固定した後、断熱内壁パネル１の幅方向の寸法が調整されて、この断熱内壁パネル１が、ラーメン柱２のフランジ部２１に接した状態で隙間無く収まっている場合には、図２に示すように、ラーメン柱２のフランジ部２１に固定金具３の弾性固定部３１を弾性挟持させる。そして、固定金具３の釘固定部３２の小孔３６から、木製下地枠１１の縦桟材１４の側端面に釘７を打ち付けることによって、この固定金具３を断熱内壁パネル１に固定する。このように、この固定金具３は、木製下地枠１１の縦桟材１４の側端面に固定するので、断熱内壁パネル１の出入り調整を行ってしっかりと位置決め固定した後からでも、簡単に固定することができる。
【００３１】
また、この断熱内壁パネル１が、ラーメン柱２のフランジ部２１との間に間隙を生じた状態で収まっている場合には、図３に示すように、固定調整金具４の挟持片４５と支持片４６との間に、ラーメン柱２のフランジ部２１を位置させた状態で、固定ボルト４２を螺合し、この固定ボルト４２と挟持片４５との間でラーメン柱２のフランジ部２１を挟持固定し、これによってラーメン柱２に固定調整金具４を固定した状態としておく。そして、ビス固定部４３の小孔４７からビス４４を挿通し、このビス４４を、断熱内壁パネル１の木製下地枠１１の縦桟材１４に螺合することで固定を完了させる。これにより、ラーメン柱２のフランジ部２１に固定した固定調整金具４と、断熱内壁パネル１の木製下地枠１１の縦桟材１４との間を、ビス４４が引っ張る形で固定することとなる。このように、この固定調整金具４の場合も、固定ボルト４２と挟持片４５との間でラーメン柱２のフランジ部２１を挟持固定するとともに、ビス固定部４３の小孔４７から挿通したビス４４を断熱内壁パネル１に螺合固定するといったきわめて簡単な作業で固定することができる。しかも、断熱内壁パネル１を位置決め固定した後に、ビス４４を螺合することで固定するので、断熱内壁パネル１の出入り調整などの施工に支障を来すことが無い。
【００３２】
また、この固定調整金具４は、あらかじめ断熱内壁パネル１の木製下地枠１１の縦桟材１４に、ビス４４を螺合することで固定しておいても良い。この場合、固定ボルト４２を緩めた状態で、断熱内壁パネル１を建て込んだ後に固定ボルト４２を締結し、この固定ボルト４２でラーメン柱２のフランジ部２１を突っ張るようにして固定することができる。
【００３３】
上述したように、固定金具３と固定調整金具４とは、断熱内壁パネル１と、ラーメン柱２のフランジ部２１との間に間隙を生じているか否かで使い分ける。
【００３４】
なお、本実施の形態では、気密材１８が適宜に圧縮されることで、幅方向の寸法が調整されるようになされた断熱内壁パネル１を使用しているが、特にこのような構成の断熱内壁パネル１に限定されるものではなく、各種の断熱内壁パネル１を使用することができる。
【００３５】
また、本実施の形態における断熱内壁パネル１の木製下地枠１１については、特に木製のものに限定されず、鋼製のものであっても良い。ただし、この場合、釘７を打ち付けて固定できるように、釘７を打ち付ける位置に釘孔（図示省略）などをあらかじめ形成しておくなどの考慮をしておかなければならない。
【００３６】
【発明の効果】
以上述べたように、請求項１記載の本発明によると、ラーメン柱と断熱内壁パネルとの固定は、ラーメン柱のフランジ部が、固定金具の弾性固定部を構成する当接片と挟持片との間に弾性挟持された状態で、この固定金具の釘固定部が、断熱内壁パネルの一側端面に釘固定されることによって行われるので、断熱内壁パネルを床下地材や梁に対してラーメン柱のフランジ部に沿った方向に出入り調整して位置決め固定した後であっても行うことができる。したがって、断熱内壁パネルの出入り調整などの施工に何ら支障を来すことなく断熱内壁パネルとラーメン柱とを固定することができる。
【００３７】
また、この固定を行う固定金具は、ラーメン柱のフランジ部に弾性挟持させておいて、断熱内壁パネルの一側端面に固定するものであるため、あらかじめ断熱内壁パネルに固定しておく必要もなく、簡単に固定することができる。
【００３８】
以上述べたように、請求項２記載の本発明によると、ラーメン柱と断熱内壁パネルとの固定は、ラーメン柱のフランジ部が、固定調整金具の固定片の螺合によって、この固定片と挟持片との間に挟持固定された状態で、この固定調整金具のビス固定部から、断熱内壁パネルの一側端面にビスが螺合固定されることによって行われるので、断熱内壁パネルを床下地材や梁に対してラーメン柱のフランジ部に沿った方向に出入り調整して位置決め固定した後であっても行うことができる。したがって、ラーメン柱と断熱内壁パネルとの固定は、断熱内壁パネルを床下地材や梁に固定して位置決めした後に行うことができ、断熱内壁パネルの出入り調整などの施工に何ら支障を来すことが無い。
【００３９】
また、この固定を行う固定金具は、断熱内壁パネルの一側端面に固定して使用するものであるため、あらかじめ断熱内壁パネルに固定しておく必要もなく、簡単に固定することができる。
【図面の簡単な説明】
【図１】（ａ）および（ｂ）は、それぞれ請求項１および請求項２にかかる断熱内壁パネルのラーメン柱固定構造の全体構成の概略を示す断面図である。
【図２】図１（ａ）における断熱内壁パネルとラーメン柱との固定部分の部分拡大図である。
【図３】図１（ｂ）における断熱内壁パネルとラーメン柱との固定部分の部分拡大図である。
【図４】断熱内壁パネルの全体構成の概略を示す分解斜視図である。
【図５】（ａ）ないし（ｃ）は、断熱内壁パネルの全体構成の概略を示す平面図、正面図および側面図である。
【図６】（ａ）ないし（ｃ）は、断熱内壁パネルとラーメン柱とを固定する固定金具を示す平面図、正面図、側面図である。
【図７】（ａ）ないし（ｃ）は、断熱内壁パネルとラーメン柱とを固定する固定調整金具を示す平面図、正面図、側面図である。
【図８】断熱内壁パネルの施工状態を示す縦断面図である。
【図９】図８における断熱内壁パネルと梁との固定部分の部分拡大図である。
【図１０】従来の断熱内壁パネルのラーメン柱固定構造を示す断面図である。
【図１１】従来の断熱内壁パネルとラーメン柱との固定部分を示す部分拡大図である。
【符号の説明】
１  断熱内壁パネル
２  ラーメン柱
２１  フランジ部
３  固定金具
３１  弾性固定部
３２  釘固定部
４  固定調整金具
４１  金具本体
４２  固定ボルト（固定片）
４３  ビス固定部
４４  ビス
４５  挟持片（立上り片）
４６  支持片（立上り片）
７  釘
【図１】
0003559151.tif 000002
【図２】
0003559151.tif 000003
【図３】
0003559151.tif 000004
【図４】
0003559151.tif 000005
【図５】
0003559151.tif 000006
【図６】
0003559151.tif 000007
【図７】
0003559151.tif 000008
【図８】
0003559151.tif 000009
【図９】
0003559151.tif 000010
【図１０】
0003559151.tif 000011
【図１１】
0003559151.tif 000012